(57)【要約】【課題】間仕切パネルの前処理加工を必要とせず、間仕切パネルの枠材の材質や形状にかかわらず適用でき、汎用性に優れた間仕切パネルの固定金具及び固定構造を提供すること。【解決手段】間仕切パネル１０の上部を天井２に固定する固定金具２０において、間仕切パネル１０の上端面に取付けられる支持板２１と、支持板２１から起立するボルト２２と、ボルト２２に螺合する長ナット２３と、長ナット２３に一体化されていて天井２に固定される固定片２４とからなるもの。【選択図】  図１
2004346537.tif 000002
【特許請求の範囲】
【請求項１】
間仕切パネルの上部を天井に固定する固定金具において、
間仕切パネルの上面に取付けられる支持板と、支持板から起立するボルト又はナットと、このボルト又はナットに螺合する上下に長い螺合部材と、この螺合部材の上端に一体化されていて天井に固定される固定片とからなることを特徴とする間仕切パネルの固定金具。
【請求項２】
前記固定片が天井に設けられた天井レールの凹部に挿入し得る突起状をなす請求項１に記載の間仕切パネルの固定金具。
【請求項３】
請求項１又は２に記載の固定金具を用いた間仕切パネルの固定構造であって、
間仕切パネルの上面に取付けた支持板から起立するボルト又はナットに対し、螺合部材を螺動させて固定片を上昇させ、該固定片を天井に固定してなる間仕切パネルの固定構造。
【発明の詳細な説明】
【０００１】
【発明の属する技術分野】
本発明は間仕切パネルの固定金具及び固定構造に関する。
【０００２】
【従来の技術】
パーティション等の間仕切パネルでは、特許文献１に記載の如く、間仕切パネルの上下部の天井と床への取付構造が考案されている。間仕切パネル上部の固定構造は、間仕切パネルの上端面にボルト挿入孔を形成し、このボルト挿入孔に挿入した支持ボルトの頂部を天井に押圧せしめている。
【０００３】
【特許文献１】
特開平６−２６４５３９（１頁、図１）
【０００４】
【発明が解決しようとする課題】
特許文献１の従来技術は、支持ボルトを挿入するためのボルト挿入孔を間仕切パネルの上端面に形成するものであり、予め間仕切パネルの上枠に孔加工が必要になり、間仕切パネルのぐらつきを防止するためにはその加工精度も要求される。また、間仕切パネルの上枠が薄鋼板等からなる場合には適用できず、汎用性に欠ける。
【０００５】
本発明の課題は、間仕切パネルの前処理加工を必要とせず、間仕切パネルの枠材の材質や形状にかかわらず適用でき、汎用性に優れた間仕切パネルの固定金具及び固定構造を提供することにある。
【０００６】
【課題を解決するための手段】
請求項１の発明は、間仕切パネルの上部を天井に固定する固定金具において、間仕切パネルの上面に取付けられる支持板と、支持板から起立するボルト又はナットと、このボルト又はナットに螺合する上下に長い螺合部材と、この螺合部材の上端に一体化されていて天井に固定される固定片とからなるようにしたものである。
【０００７】
請求項２の発明は、請求項１の発明において更に、前記固定片が天井に設けられた天井レールの凹部に挿入し得る突起状をなすようにしたものである。
【０００８】
請求項３の発明は、請求項１又は２に記載の固定金具を用いた間仕切パネルの固定構造であって、間仕切パネルの上面に取付けた支持板から起立するボルト又はナットに対し、螺合部材を螺動させて固定片を上昇させ、該固定片を天井に固定してなるようにしたものである。
【０００９】
【作用】
請求項１の発明によれば下記▲１▼の作用がある。
▲１▼固定金具は、支持板を間仕切パネルの上端面に取付けるだけで間仕切パネルに組付けでき、間仕切パネルに孔加工等の前処理加工を必要としない。従って、間仕切パネルの枠材の材質や形状にかかわらず適用でき、汎用性に優れる。
【００１０】
請求項２の発明によれば下記▲２▼の作用がある。
▲２▼固定金具は、螺合部材に一体化された突起状の固定片を、天井レールの凹部に挿入することにより、間仕切パネルを天井に安定的に固定できる。天井レールの凹部を間仕切パネルの延在方向に沿う溝状にするものとすれば、間仕切パネルの上端面に設置した固定金具の固定片をその凹部に挿入した状態で該間仕切パネルをその延在方向に可動でき、相隣る間仕切パネルとの位置合わせ等が容易になる。
【００１１】
請求項３の発明によれば下記▲３▼の作用がある。
▲３▼間仕切パネルの上端面に設置した固定金具の螺合部材を螺動させて固定片を上昇させることにより、固定片を天井面に圧接し、又は天井の凹部に挿入し、間仕切パネルの上部を簡易かつ確実に天井に固定できる。
【００１２】
【発明の実施の形態】
図１は間仕切パネルの固定構造を示す断面図、図２は固定金具を示す斜視図である。
【００１３】
図１は、建物の床１と天井２のそれぞれに間仕切パネル１０の下部と上部のそれぞれを固定した固定構造を示したものである。
【００１４】
床１は床面材１Ａを備える。天井２は、鉄筋コンクリート造天井部２Ａの下方に天井面材２Ｂを備える。
【００１５】
間仕切パネル１０は、枠材１１を構成する下フレーム１１Ａと上フレーム１１Ｂの両側に面材１２、１３を貼付けたものである。下フレーム１１ＡはＵ字状断面の薄鋼板からなり、下フレーム１１Ａの両側面に面材１２、１３の下端部を取着し、下フレーム１１Ａの下端面まわりにＵ字状断面の下部レール１４を取着してある。上フレーム１１Ｂは逆Ｕ字状断面の薄鋼板からなり、上フレーム１１Ｂの両側面に面材１２、１３の上端側中間部を取着し、面材１２、１３の上端部を上フレーム１１Ｂの両側面より上方にまで立ち上げている。
【００１６】
間仕切パネル１０は、下部レール１４を床面材１Ａに載置した状態で、上フレーム１１Ｂに設置した固定金具２０により天井２に固定される。固定金具２０により固定された状態で、間仕切パネル１０の面材１２、１３の下部及び下部レール１４の両側には巾木１５が設けられ、面材１２、１３の上部の両側には回り縁１６が設けられる。巾木１５は床面材１Ａ及び／又は面材１２、１３に固定され、回り縁１６は天井面材２Ｂ及び／又は面材１２、１３に固定される。図１において、１７は、間仕切パネル１０が交差する建物の壁部分に設けられ、間仕切パネル１０のパネル内に連通する、電線等のための配線孔である。
【００１７】
固定金具２０は、図１、図２に示す如く、間仕切パネル１０の上端面、本実施形態では上フレーム１１Ｂの平面状の上端面に取付けられる支持板２１と、支持板２１から起立するボルト２２と、ボルト２２に螺合する上下に長い螺合部材としての長ナット２３と、長ナット２３の上端に一体化されていて天井２に固定される固定片２４とからなる。
【００１８】
支持板２１は、方形平板状をなし、ビス等により上フレーム１１Ｂの上端面に取付け可能にされるものであり、方形の四隅にビス孔２１Ａを備える。
【００１９】
ボルト２２は、頭２２Ａを支持板２１の中央部に溶接等により接合される。ボルト２２は、支持板２１の中央部に固定された取付ボスに圧入又は溶接されても良い。
【００２０】
長ナット２３は、六角状外周面を有し、スパナにより螺動操作可能にされる。
固定片２４は、突起部２４Ａとねじ部２４Ｂを有し、長ナット２３の上端部にねじ部２４Ｂを螺着して該長ナット２３に一体化される。固定片２４の突起部２４Ａは、天井２に設けられた天井レール３０の凹部３１に隙間なく密に挿入可能にされる。天井レール３０は、ボルト３２により天井部２Ａに固定された状態で吊下げ状にされ、左右のＬ字状天井受部３０Ａ、３０Ａを互いに背中合せになるように備え、それらの天井受部３０Ａ、３０Ａのそれぞれにて天井面材２Ｂの端部を支えるとともに、それらの天井受部３０Ａ、３０Ａの間に上述の凹部３１を形成する。凹部３１は、天井レール３０の長手方向に沿う溝状をなす。但し、凹部３１は、孔状なすものでも良い。
【００２１】
従って、固定金具２０を用いた間仕切パネル１０の固定作業は以下の手順でなされる。
【００２２】
（１）固定金具２０の支持板２１を間仕切パネル１０の上フレーム１１Ｂの上端面に取付ける。この間仕切パネル１０を床１の床面材１Ａ上の適宜位置に載置する。
【００２３】
（２）上述（１）の固定金具２０の支持板２１から起立するボルト２２に対し、長ナット２３をスパナによって螺動させて固定片２４を上昇させ、固定片２４の突起部２４Ａを、天井２に設けてある天井レール３０の凹部３１に挿入する。これにより、間仕切パネル１０は横揺れすることのない固定構造を付与される。
【００２４】
尚、上述（２）の長ナット２３を更に螺動させ、長ナット２３の上端面（又は固定片２４の突起部２４Ａとねじ部２４Ｂの間に設けられる突起部２４Ａより大径の環状フランジ）を、天井レール３０の凹部３１の開口縁部（天井受部３０Ａの下面）に圧接させても良い。これによれば、間仕切パネル１０は、床１と天井２の間で上下方向においても完全な固定状態を付与される。
【００２５】
（３）上述（２）の間仕切パネル１０の下部の両側に巾木１５を設け、上部の両側に回り縁１６を設ける。
【００２６】
本実施形態によれば以下の作用がある。
▲１▼固定金具２０は、支持板２１を間仕切パネル１０の上端面に取付けるだけで間仕切パネル１０に組付けでき、間仕切パネル１０に孔加工等の前処理加工を必要としない。従って、間仕切パネル１０の枠材１１の材質や形状にかかわらず適用でき、汎用性に優れる。
【００２７】
▲２▼固定金具２０は、長ナット２３に一体化された突起状の固定片２４を、天井レール３０の凹部３１に挿入することにより、間仕切パネル１０を天井２に安定的に固定できる。天井レール３０の凹部３１を間仕切パネル１０の延在方向に沿う溝状にするものとすれば、間仕切パネル１０の上端面に設置した固定金具２０の固定片２４をその凹部３１に挿入した状態で該間仕切パネル１０をその延在方向に可動でき、相隣る間仕切パネル１０との位置合わせ等が容易になる。
【００２８】
▲３▼間仕切パネル１０の上端面に設置した固定金具２０の長ナット２３を螺動させて固定片２４を上昇させることにより、固定片２４を天井面に圧接し、又は天井２の凹部３１に挿入し、間仕切パネル１０の上部を簡易かつ確実に天井２に固定できる。
【００２９】
尚、本発明において、固定金具は、間仕切パネルの上面に取付けられる支持板と、支持板から起立するナットと、このナットに螺合する上下に長いボルト状の螺合部材と、この螺合部材の上端に一体化されていて天井に固定される固定片とからなるものでも良い。
【００３０】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、間仕切パネルの下端面に突起状の固定片を設け、この固定片を床に設けた凹部に挿入しても良い。
【００３１】
【発明の効果】
本発明によれば、間仕切パネルの前処理加工を必要とせず、間仕切パネルの枠材の材質や形状にかかわらず適用でき、汎用性に優れた間仕切パネルの固定金具及び固定構造を得ることができる。
【図面の簡単な説明】
【図１】図１は間仕切パネルの固定構造を示す断面図である。
【図２】図２は固定金具を示す斜視図である。
【符号の説明】
２  天井
１０  間仕切パネル
２０  固定金具
２１  支持板
２２  ボルト
２３  長ナット（螺合部材）
２４  固定片
２４Ａ  突起部
３０  天井レール
３１  凹部
【図１】
2004346537.tif 000003
【図２】
2004346537.tif 000004